(57)【要約】【課題】低音域の再生音量が増加するスピーカを提供する。【解決手段】背面解放型のスピーカユニット(5)と、その背面の所定領域に形成され音を放出する複数の放音部(5a)と、スピーカユニットの背面側を覆うように配置されスピーカユニット(5)との間にバックキャビティ(Va)を形成するハウジング部(1)と、バックキャビティ(Va)内に配設され、スピーカユニット(5)から離れるに従って拡径する環状又は弧状のフィン(12c)を少なくとも一つ有するフィンユニット(12)と、を備える。【選択図】図２
2019118154.tif 000002
【特許請求の範囲】
【請求項１】
背面解放型のスピーカユニットと、
前記スピーカユニットの背面の所定領域に形成され音を放出する複数の放音部と、
前記スピーカユニットの背面の側を覆うように配置され、前記スピーカユニットとの間にバックキャビティを形成するハウジング部と、
前記バックキャビティ内に配設され、前記スピーカユニットから離れるに従って拡径する環状又は弧状のフィンを少なくとも一つ有するフィンユニットと、
を備えることを特徴とするスピーカ。
【請求項２】
前記バックキャビティの側壁と底壁とを構成するバックカバーの底壁に、前記スピーカユニットの中心軸線上に頂部を有して前記フィンユニットの正面方向に突出するコーン形状の突出部を備えることを特徴とする請求項１に記載のスピーカ。
【請求項３】
前記フィンユニットは、前記フィンの最大径部位に接続し前記バックキャビティの側壁と間隔を有して前記フィンユニットの正面方向に延出して形成される戻りフィン部を備えた請求項1又は請求項２に記載のスピーカ。
【請求項４】
請求項１から３のいずれか１項に記載のスピーカの一対と、前記一対のスピーカ同士を連結するヘッドバンドと、を備えたことを特徴とするヘッドホン。 
【発明の詳細な説明】
【技術分野】
【０００１】
本発明はスピーカ及びヘッドホンに係り、特に、背面解放型のスピーカユニットを用いたスピーカ及びヘッドホンに関する。
【背景技術】
【０００２】
スピーカユニットとエンクロージャとを含んで構成されるスピーカでは、スピーカユニットに背面解放型が用いられる場合がある。
また、ヘッドバンドを備えた所謂オーバーヘッドタイプのヘッドホンに用いられるスピーカユニットは、一般に背面解放型が用いられる。背面解放型のスピーカユニットは、スピーカユニットのケースの背面に開口部を有し、背面からも音を放出する。
この背面解放型のスピーカユニットを備えたオーバーヘッドタイプのヘッドホンが、特許文献１に記載されている。
【先行技術文献】
【特許文献】
【０００３】
【特許文献１】特開２０１２−０８０２１９号公報
【発明の概要】
【発明が解決しようとする課題】
【０００４】
一般に、背面解放型のスピーカユニットと、そのスピーカユニットを取り付けたエンクロージャと、を有するスピーカ（スピーカシステム）は、エンクロージャの奥行が深い（長い）ほど、低音域の再生音量が増加することが経験的に知られている。
オーバーヘッドタイプのヘッドホンでは、スピーカユニットを収容し耳に当てられるハウジング部のバックカバーが、このエンクロージャに該当し、ハウジング部がスピーカに相当する。
そこで、ハウジング部の奥行を長くして低音域の再生音量の増加を図ることが検討されるが、ヘッドホンにおけるハウジング部は、耳への装着性の向上や意匠性などの観点から奥行の長い形状にすることが難しい。
そのため、奥行の短いスピーカや、ヘッドホンに対しては、エンクロージャやバックカバーの奥行を長くすることなく低音域の再生音量が増加する工夫が望まれている。
【０００５】
そこで、本発明が解決しようとする課題は、奥行を長くすることなく低音域の再生音量が増加するスピーカ及びヘッドホンを提供することにある。
【課題を解決するための手段】
【０００６】
上記の課題を解決するために、本発明は次の構成を有する。
１）背面解放型のスピーカユニットと、前記スピーカユニットの背面の所定領域に形成され音を放出する複数の放音部と、前記スピーカユニットの背面の側を覆うように配置され、前記スピーカユニットとの間にバックキャビティを形成するハウジング部と、前記バックキャビティ内に配設され、前記スピーカユニットから離れるに従って拡径する環状又は弧状のフィンを少なくとも一つ有するフィンユニットと、を備えることを特徴とするスピーカである。２）１）に記載されたスピーカの一対と、前記一対のスピーカ同士を連結するヘッドバンドと、を備えたことを特徴とするヘッドホンである。
【発明の効果】
【０００７】
本発明によれば、奥行を長くすることなく低音域の再生音量が増加する、という効果を奏する。
【図面の簡単な説明】
【０００８】
【図１】図１は、本発明の実施の形態に係るヘッドホンの実施例であるヘッドホン５１の全体構成を説明するための斜視図である。
【図２】図２は、ヘッドホン５１におけるハウジング部１を説明するための斜視的断面図である。
【図３】図３は、ハウジング部１を説明するための斜視的組立て図である。
【図４】図４は、ハウジング部１に収容されるスピーカユニット５の背面図である。
【図５】図５は、ハウジング部１が備えるフィンユニット１２を説明するための斜視図であり、図２に示されたフィンユニット１２の拡大図である。
【図６】図６は、フィンユニット１２を背面方向の側からみた斜視図である。
【図７】図７は、フィンユニット１２の正面図である。
【図８】図８は、ハウジング部１の模式的断面図である。
【図９】図９は、比較例としてのフィンユニット１２を備えていないハウジング部１０１を説明するための断面図である。
【図１０】図１０は、ハウジング部１及びハウジング部１０１の音圧周波数特性を示すグラフである。
【図１１】図１１は、スピーカユニット５の背面から放出された音のハウジング部１内の伝播経路での横断面積を説明するための模式図である。
【発明を実施するための形態】
【０００９】
本発明の実施の形態に係るヘッドホンを、好ましい実施例であるヘッドホン５１により図１〜図１１を用いて説明する。
【００１０】
図１は、ヘッドホン５１を説明するための外観斜視図である。
ヘッドホン５１は、オーバーヘッドタイプであって、使用時に左耳に対応して宛がわれるハウジング部１と右耳に対応して宛がわれるハウジング部２と、ハウジング部１とハウジング部２とを連結する湾曲したヘッドバンド３と、を有している。
ハウジング部１，２は、概ね扁平の円柱状に形成され、それぞれに、柔軟な耳当てパッド４が着脱自在に装着される。
ハウジング部１，２の内部には、それぞれスピーカユニット５が収容されている。
【００１１】
図２は、図１のハウジング部１におけるＳ２−Ｓ２位置での斜視的断面図である。図３は、ハウジング部１の斜視的組立て図である。図２及び図３では、耳当てパッド４を不図示としている。また、以下の説明において、正面方向と背面方向とを、図２に示されるように規定する。ヘッドホン５１の使用状態で、正面方向の側に耳が位置し、背面方向は頭部から離れる方向となる。
【００１２】
図２及び図３に示されるように、ハウジング部１は、正面方向となる側にバッフル板１１を有する。バッフル板１１は、円盤状に形成され、小径部分が放射格子形状の空気流通可能な放音部１１ａとされている。
スピーカユニット５は、バッフル板１１における放音部１１ａの裏面側（背面方向の側）に、バッフル板１１側を正面とする姿勢で配置されている。図３においてスピーカユニット５は、模式的に円盤状に記載されている。
【００１３】
ハウジング部１は、スピーカユニット５の背面方向の側に配置されバッフル板１１に対しスピーカユニット５を挟持してねじ固定されたフィンユニット１２と、スピーカユニット５及びフィンユニット１２を覆うようにバッフル板１１にねじ固定された扁平鍋状のバックカバー１３と、を有する。
【００１４】
バッフル板１１とバックカバー１３とに囲まれて、スピーカユニット５の背面方向の側には実質的に密閉されたバックキャビティＶａ（図２参照）となる空間が形成される。以下、空間Ｖａとも称する。
図２に示されるように、スピーカユニット５は、ケース５ｃ及びケース５ｃに正面方向となる側で支持された振動板５ｓを有している。
【００１５】
スピーカユニット５，フィンユニット１２，及びバックカバー１３は、平面視で外形が概ね円形とされ、それぞれの中心軸を共通の中心軸線ＣＬ１として組み付けられている。
【００１６】
次に、図４も参照してスピーカユニット５について説明する。
図４は、スピーカユニット５の背面図である。スピーカユニット５は、扁平円盤状を呈する背面解放型である。
従って、音声出力時には、振動板５ｓの振動で生じた音は、正面のみならず、背面の背面放音部５ａからも放出される。
すなわち、スピーカユニット５のケース５ｃは、正面方向となる側に図示しない放音孔を有し、背面方向となる側にも開口部として背面放音部５ａを有している。
【００１７】
具体的には、スピーカユニット５は、背面放音部５ａとして、中心軸線ＣＬ１位置を中心とする半径ｒ１の円形範囲として設けられた中心放音部５ａ１と、半径ｒ２と半径ｒ３との間の環状範囲として設けられた環状放音部５ａ２とを有する。環状放音部５ａ２の内縁と外縁とは、この例において相似形状とする。
中心放音部５ａ１及び環状放音部５ａ２には、それぞれ発泡樹脂シート等で形成された音響フィルタ５ｂ１及び音響フィルタ５ｂ２が装着されている。
【００１８】
次に、図５〜図７を主に参照してフィンユニット１２について説明する。
図５は、図３に斜視図で示されたフィンユニット１２の拡大図である。図６は、フィンユニット１２を背面方向の側から見た斜視図である。図７はフィンユニット１２の正面図である。
【００１９】
フィンユニット１２は、中心軸線ＣＬ１を中心として、同心で径の異なる三つの環状のフィン１２ａ，１２ｂ，１２ｃと、フィン１２ａ〜１２ｃ同士を連結する三本の放射状の支持梁１２ｄと、を有して樹脂によって形成されている。
各支持梁１２ｄには、図２及び図５に示されるように、周方向に延在し正面方向に突出したリブ１２ｄ１が形成されている。
【００２０】
三つのフィン１２ａ〜１２ｃは、正面方向の側端部１２ａ１〜１２ｃ１において最小径とされ、背面方向に進むに従って拡径する拡径部１２ａ２〜１２ｃ２を有して環状又は弧状に形成されている。ここでは環状に形成され、背面方向に向かうラッパ型のものを説明する。フィン１２ａ〜１２ｃが弧状に形成されるのは、ハウジング部１の内部に端子などが設けられていて、環状に形成できない場合や、環状部分に配線部分が重なる場合である。
【００２１】
フィン１２ａ〜１２ｃの形状を図２及び図７を主に参照して具体的に説明する。
フィン１２ａは、正面側端部１２ａ１の内半径がＲ４Ｓとされ、正面側端部１２ａ１から背面方向に進むに従って徐々に拡径し半径Ｒ４Ｅの背面側端部１２ａ３に至る環状の拡径部１２ａ２を有している。
フィン１２ｂは、正面側端部１２ｂ１の内半径が半径Ｒ４Ｅよりも大なる半径Ｒ５Ｓとされ、背面方向に進むに従って徐々に拡径し半径Ｒ５Ｅの背面側端部１２ｂ３に至る環状の拡径部１２ｂ２を有している。
フィン１２ｃは、正面側端部１２ｃ１の内半径が半径Ｒ５Ｅよりも大なる半径Ｒ６Ｓとされ、背面方向に進むに従って徐々に拡径し半径Ｒ６Ｅの背面側端部１２ｃ３に至る環状の拡径部１２ｃ２を有している。
【００２２】
フィン１２ｃは、さらに背面側端部１２ｃ３に接続し、正面方向にほぼ同一半径の半径Ｒ６Ｅで円環状に延出して背面放音部５ａから放出された音の伝播距離を長くするための戻りフィン部１２ｃ４を有している。
フィン１２ｃは、拡径部１２ｃ２の正面方向となる側における支持梁１２ｄに対応する位置に、正面方向に延び周方向に離隔した三本のボス１２ｃ５を有する。ボス１２ｃ５には、下穴が形成されており、バッフル板１１に対し、その正面方向の側からタッピングねじ（図示せず）で締め付け固定される。
【００２３】
この締め付け固定状態で、三本の支持梁１２ｄそれぞれに設けられたリブ１２ｄ１が、スピーカユニット５のケース５ｃにおける半径ｒ１〜半径ｒ２（図４参照）の非開口部５ｃ１に当接している。
これにより、スピーカユニット５は、バッフル板１１とフィンユニット１２との間において正背方向に隙間なく保持される。
【００２４】
次に、バックカバー１３について説明する。
バックカバー１３は、図３に示されるように、円板状の底壁１３ａと、底壁１３ａの周囲から環状に立設する側壁１３ｂと、を有して樹脂により形成されている。
底壁１３ａにおける側壁１３ｂの近傍には、周方向に離隔して四本のボス１３ａ２が立設している。
ボス１３ａ２には、下穴が形成されており、ボス１３ａ２に対し、バッフル板１１がその正面方向となる側からタッピングねじ（図示せず）で締め付け固定される。
【００２５】
この締め付け固定により、バッフル板１１，スピーカユニット５，及びバックカバー１３で囲まれた空間Ｖａは、バックキャビティとして実質的に密閉状態で形成される。
底壁１３ａには、中心軸線ＣＬ１上に頂部１３ｃ１を有するコーン形状の突出部１３ｃが形成されている。突出部１３ｃの傾斜周面１３ｃ２は、径方向断面において凹面となっている。
【００２６】
図８は、ハウジング部１における、スピーカユニット５の背面放音部５ａと、フィンユニット１２のフィン１２ａ〜１２ｃと、の径方向及び正背方向の位置関係を説明するための模式的断面図である。図８は、図２の斜視的断面形状を模式的平面状に記載したものである。
図８において、中心放音部５ａ１と環状放音部５ａ２とは、共に正背方向の同じ位置にあり、その位置と底壁１３ａの内面１３ａ１との間の正背方向距離を距離Ｌ１とする。
【００２７】
図８に示されるように、環状のフィン１２ａの正面側端部１２ａ１は、スピーカユニット５の中心放音部５ａ１の外周縁にほぼ対応した位置にある。
すなわち、半径ｒ１と半径Ｒ４Ｓとが、比較的近い値で対応している。例えば、半径Ｒ４Ｓは、半径ｒ１の±５％の範囲内であるとよい。
【００２８】
環状のフィン１２ｂの正面側端部１２ｂ１は、スピーカユニット５の環状放音部５ａ２の小径周縁にほぼ対応した位置にある。
すなわち、半径ｒ２と半径Ｒ５Ｓとが、比較的近い値となっている。例えば、半径Ｒ５Ｓは、半径ｒ２の±１０％の範囲内であるとよい。
【００２９】
環状のフィン１２ｃの正面側端部１２ｃ１は、スピーカユニット５の環状放音部５ａ２の大径周縁にほぼ対応した位置にある。
すなわち、半径ｒ３と半径Ｒ６Ｓとが、比較的近い値になっている。例えば、半径Ｒ６Ｓは、半径ｒ３の±１５％の範囲内であるとよい。
フィン１２ａは、フィン１２ｂ及びフィン１２ｃよりも小径で内側にあるため、フィン１２ｂ及びフィン１２ｃに対する内フィンとなる。同様に、フィン１２ｂは、フィン１２ｃに対する内フィンとなる。
【００３０】
フィン１２ａ〜１２ｃは、スピーカユニット５のケース５ｃに対し、接触せずに隙間が生じるよう背面方向に離隔して設けられている。
これにより、スピーカユニット５の出力時に、ケース５ｃとフィン１２ａ〜１２ｃとの接触ノイズが生じることがない。
【００３１】
バックカバー１３の突出部１３ｃの頂部１３ｃ１は、正背方向において、フィン１２ａの正面側端部１２ａ１と背面側端部１２ａ３との間に位置している。
【００３２】
ハウジング部１は、フィンユニット１２及び突出部１３ｃを有する上述の構成によって、背面放音部５ａから空間Ｖａ内に放出された音が、フィンユニット１２及び突出部１３ｃが無い場合（従来のハウジング部）と比べて、長い距離を伝播するようになっている。
また、フィンユニット１２は、背面放音部５ａとバックカバー１３の内面１３ａ１との間に仕切り壁として配置される。従って、フィンユニット１２を有することで、背面放音部５ａから放出され、内面１３ａ１に反射して背面放音部５ａに戻る、いわゆる戻り音が減少する。
【００３３】
図９は、ハウジング部１からフィンユニット１２及び突出部１３ｃを削除した、比較例としてのハウジング部１０１を示す断面図である。詳しくは、スピーカユニット５にインパルス信号を入力させたときの音の伝播態様例を説明する図である。
ハウジング部１０１では、中心放音部５ａ１及び環状放音部５ａ２から背面方向に放出された中心放出音Ｄ１０１及び環状放出音Ｄ１０２は、背面方向に距離Ｌ１だけ伝播すると、障壁となる底壁１３ａの内面１３ａ１に到達する。
そして、中心放出音Ｄ１０１及び環状放出音Ｄ１０２は、内面１３ａ１で反射し、反射音ＤＨ１０１，ＤＨ１０２として中心放音部５ａ１と環状放音部５ａ２に戻る。
このように、ハウジング部１０１において、中心放出音Ｄ１０１及び環状放出音Ｄ１０２の伝播距離は、距離Ｌ１となる。
【００３４】
これに対し、図８に示されるハウジング部１では、中心放音部５ａ１から背面方向に放出された中心放出音Ｄ１は、フィン１２ａの拡径部１２ａ２と突出部１３ｃの傾斜周面１３ｃ２との間の経路を通り、それらに誘導されて背面方向に進むと共に径方向外方へ伝播する。突出部１３ｃを配置することで、径方向外方への伝播が促進される。突出部１３ｃが配置されてなくても中心放音部５ａ１から背面方向に放出された中心放出音Ｄ１は径方向外方へ伝播する。
そして、中心放出音Ｄ１は、底壁１３ａの内面１３ａ１に沿って径方向外方に伝播する（矢印経路Ｄ１ａ）。
次いで中心放出音Ｄ１は、側壁１３ｂと戻りフィン部１２ｃ４との間を正面側に伝播する（矢印経路Ｄ１ｂ）。
次いで中心放出音Ｄ１は、戻りフィン部１２ｃ４の正面側端部１２ｃ６とバッフル板１１の背面１１ｂとの間を中心軸線ＣＬ１に向かい伝播した後（経路矢印Ｄ１ｃ）、フィン１２ｃの拡径部１２ｃ２における正面方向の側の面１２ｃ７に到達する（経路矢印Ｄ１ｄ）。
【００３５】
すなわち、中心放出音Ｄ１の伝播経路は、経路矢印Ｄ１ａ〜経路矢印Ｄ１ｄで示される経路となり、伝播距離は、概ね、距離Ｌ１の２．５倍と距離Ｌ２とを加えた距離となる。
距離Ｌ２は、中心軸線ＣＬ１から、側壁１３ｂと戻りフィン部１２ｃ４との間の中点まで、の距離である。
【００３６】
一方、環状放音部５ａ２から背面方向に放出された環状放出音Ｄ２は、フィン１２ｂの拡径部１２ｂ２とフィン１２ｃの拡径部１２ｃ２との間を通り、それらに誘導されて背面方向に進むと共に径方向外方に伝播する。
その後、中心放出音Ｄ１と同様の伝播経路、すなわち、経路矢印Ｄ１ｂ〜Ｄ１ｄに示される経路でフィン１２ｃの拡径部１２ｃ２の正面方向の側の面１２ｃ７に到達する。
【００３７】
すなわち、環状放出音Ｄ２の伝播経路は、経路矢印Ｄ２ａ及び経路矢印Ｄ１ｂ〜経路矢印Ｄ１ｄで示される経路となり、伝播距離は、概ね、距離Ｌ１の２．５倍と距離Ｌ３とを加えた距離となる。
距離Ｌ３は、環状放音部５ａ２の径方向中心位置と、距離Ｌ２の最大径位置との間の距離である。
【００３８】
このように、ハウジング部１は、フィンユニット１２を有することで、ハウジング部１０１と奥行が同じ長さであっても、中心放出音Ｄ１及び環状放出音Ｄ２の伝播経路長（伝播距離）が、著しく長くなっている。このように中心放出音Ｄ１の伝播経路と環状放出音Ｄ２の伝播経路とが合流する構成にすることによって、放音部５ａ１，５ａ２から放出された音が伝搬経路の放音部５ａ１、５ａ２からもっとも遠い経路端まで到達しやすくなる。
【００３９】
図１０は、ハウジング部１による再生音と、ハウジング部１０１による再生音と、の違いを比較するための音圧周波数特性を示すグラフである。
実線がハウジング部１による再生音の特性を示し、一点鎖線がハウジング部１０１による再生音の特性を示している。
【００４０】
図１０には、フィンユニット１２及び突出部１３ｃの有無を違いとする二つの特性が示
されるが、フィンユニット１２及び突出部１３ｃを有するハウジング部１の再生音の方が、低音域の音圧が高く、音量が増加していることがわかる。
【００４１】
以上詳述したように、ハウジング部１は、ハウジング部１に対しフィンユニット１２及び突出部１３ｃを備えていないハウジング部１０１と比較して、空間Ｖａの正背方向の距離Ｌ１が同じでありながら、背面放音部５ａから放出された音の伝播距離が長くなっている。
そして、実測値で、低音域の音圧が高くなっていることが確認されている。
すなわち、ハウジング部１を備えたヘッドホン５１は、ハウジング部１の奥行を長くすることなく低音域の再生音量が増加している。
【００４２】
また、ハウジング部１０１で生じる、中心放音部５ａ１に戻る反射音ＤＨ１０１は、ハウジング部１では、突出部１３ｃが設けられているために生じることがない。
従って、中心放音部５ａ１に戻る反射音が振動板５ｓの振動に影響を与えることはなく、ハウジング部１による再生音は、歪が少ない。
【００４３】
また、ハウジング部１において、環状放音部５ａ２から背面方向に放出され底壁１３ａの内面１３ａ１に達して反射した反射音は、フィン１２ｂに大部分が遮断されるので、再び環状放音部５ａ２に戻る反射音は僅かとなる。
従って、環状放音部５ａ２から放出された環状放出音Ｄ２の反射音が振動板５ｓの振動に影響を与える程度は僅かであり、ハウジング部１による再生音は、この点においても歪が少ない。
【００４４】
ハウジング部１では、環状放音部５ａ２から放出された音の伝播経路の横断面積（伝播方向に対する直交方向の断面積）が一定となるように、フィン１２ａ〜１２ｃ及び底壁１３ａの突出部１３ｃの形状が決められている。
例えば、図８において、中心放音部５ａ１から放出した中心放出音Ｄ１は、フィン１２ａの拡径部１２ａ２と突出部１３ｃの傾斜周面１３ｃ２とに誘導され、背面方向に伝播するに従って径方向の外方へ伝播する。
【００４５】
フィン１２ａは、図６などに示されるように環状に形成されているので、中心放出音Ｄ１は、３６０°の全周に亘り拡径するように伝播する。
従って、伝播経路の単位角度範囲の横断面積が一定だとすると、伝播経路の総横断面は伝播と共に拡大する。
【００４６】
バックキャビティである空間Ｖａ内を伝播させる際に、伝播経路の横断面積である伝播方向に直交する方向の断面積が大きく変化すると、音質の低下を招く傾向にあることが経験的に知られている。
そこで、ハウジング部１では、環状に伝播する中心放出音Ｄ１及び環状放出音Ｄ２の伝播経路の横断面積が、径によらず概ね一定となるように各形状が設定されている。
【００４７】
図１１は、この横断面積を一定にする方法を模式的に示した斜視図である。
図１１において、音源ＤＳから放出され全周方向に伝播する音の経路Ｔの、半径がＲａの位置での経路幅をｈａとし、半径がＲａより大なるＲｂの位置での経路幅をｈｂとする。
Ｒａ位置での経路Ｔの横断面積Ｓａは、Ｓａ＝２πＲａ×ｈａであり、Ｒｂ位置での経
路Ｔの横断面積Ｓｂは、Ｓｂ＝２πＲｂ×ｈｂである。
好ましい態様であるＳａ＝Ｓｂとするためには、
ｈｂ＝（Ｒａ／Ｒｂ）×ｈａ      （式１）
とすればよい。
【００４８】
この考え方を、ハウジング部１に適用すると、図８に示されるようになる。
すなわち、底壁１３ａとフィン１２ａ〜１２ｃの背面側端部１２ａ３〜１２ｃ３との間の正背方向の幅を、幅ｈ１２ａ〜ｈ１２ｃとする。また、背面側端部１２ａ３〜１２ｃ３のそれぞれの半径をＲ４Ｅ，Ｒ５Ｅ，Ｒ６Ｅとする（図７も参照）。
このとき、背面側端部１２ａ３〜１２ｃ３位置での経路横断面積Ｓ１２ａ，Ｓ１２ｂ，
Ｓ１２ｃは、次のように示される。
Ｓ１２ａ＝２πＲ４Ｅ×ｈ１２ａ    （式２）
Ｓ１２ｂ＝２πＲ５Ｅ×ｈ１２ｂ    （式３）
Ｓ１２ｃ＝２πＲ６Ｅ×ｈ１２ｃ    （式４）
従って、好ましい態様のＳ１２ａ＝Ｓ１２ｂ＝Ｓ１２ｃとするために、
ｈ１２ｂ＝（Ｒ４Ｅ／Ｒ５Ｅ）×ｈ１２ａ    （式５）
ｈ１２ｃ＝（Ｒ４Ｅ／Ｒ６Ｅ）×ｈ１２ａ    （式６）
とすればよい。
【００４９】
本発明の実施例は、上述した構成に限定されるものではなく、本発明の要旨を逸脱しない範囲において変形例としてもよい。
ヘッドホン５１は、ヘッドバンドを有するいわゆるオーバーヘッドタイプに限定されない。耳掛けハンガを備えて耳介に装着される耳掛けタイプのヘッドホンなど、他の態様のヘッドホンであってもよい。
環状放音部５ａ２は、連続した完全な環状領域でなくてもよい。不連続とする部分を有するＣ字状、すなわち、弧状領域とされていてもよい。
また、中心放音部５ａ１および環状放音部５ａ２は、複数の孔で構成されてもよい。この場合、環状放音部５ａ２は、環状又は弧状を形成するように配置される。
また、フィンも連続した完全な環状でなくてよい。すなわち、弧状に形成されていてもよい。
上記のフィン１２ａ〜１２ｃのいずれかと環状放音部５ａ２とを組み合わせた場合において、そのフィンが弧状で環状放音部５ａ２が環状の場合は、フィンの弧状の周方向の範囲で本発明の効果を奏する。反対に、フィンが環状で環状放音部５ａ２が弧状の場合は、環状放音部５ａ２の弧状に対応するフィンの周方向の範囲で本発明の効果を奏する。
【００５０】
ハウジング部１のバックカバー１３をエンクロージャとしてみれば、スピーカユニット５とバックカバー１３とを含んで、いわゆるスピーカシステムと称されるスピーカＳＰが構成される。このスピーカＳＰも本発明に含まれる。
スピーカＳＰは、例えばデザインの制約上で奥行を長くできない場合、上述のフィンユニット１２を有する実施例の構成にすることでヘッドホン５１と同様の効果が得られる。
【符号の説明】
【００５１】
１，２  ハウジング部
３  ヘッドバンド
４  耳当てパッド
５  スピーカユニット
５ａ  背面放音部、    ５ａ１  中心放音部、    ５ａ２  環状放音部
５ｂ１，５ｂ２  音響フィルタ、    ５ｃ  ケース、    ５ｃ１  非開口部
５ｓ  振動板
１１  バッフル板、    １１ａ  放音部、    １１ｂ  背面
１２  フィンユニット
１２ａ〜１２ｃ  フィン、    １２ａ１〜１２ｃ１  正面側端部
１２ａ２〜１２ｃ２  拡径部、    １２ａ３〜１２ｃ３  背面側端部
１２ｃ４  戻りフィン部、    １２ｃ５  ボス、    １２ｃ６  正面側端部
１２ｃ７  (正面方向の側の)面、    １２ｄ  支持梁、    １２ｄ１  リブ
１３  バックカバー
１３ａ  底壁、    １３ａ１  内面、    １３ａ２  ボス、    １３ｂ  側壁
１３ｃ  突出部、    １３ｃ１  頂部、    １３ｃ２  傾斜周面
５１  ヘッドホン
ＣＬ１  中心軸線
Ｄ１  中心放出音、    Ｄ２  環状放出音
ＤＨ１，ＤＨ２，ＤＨ１０１，ＤＨ１０２  反射音
ｈａ，ｈｂ  経路幅、    Ｌ１〜Ｌ３  距離
ｒ１〜ｒ３，Ｒ４Ｓ，Ｒ４Ｅ，Ｒ５Ｓ，Ｒ５Ｅ，Ｒ６Ｓ，Ｒ６Ｅ，Ｒａ，Ｒｂ  半径、  
Ｓａ，Ｓｂ  （伝播経路の）横断面積、    Ｔ  経路
Ｖａ  空間（バックキャビティ）
ＳＰ  スピーカ
【図１】
2019118154.tif 000003
【図２】
2019118154.tif 000004
【図３】
2019118154.tif 000005
【図４】
2019118154.tif 000006
【図５】
2019118154.tif 000007
【図６】
2019118154.tif 000008
【図７】
2019118154.tif 000009
【図８】
2019118154.tif 000010
【図９】
2019118154.tif 000011
【図１０】
2019118154.tif 000012
【図１１】
2019118154.tif 000013